(57)【特許請求の範囲】
【請求項１】
駆動本体に設けられる指針軸に配設固定され前記計器本体の駆動に応じて回動する指針と、
前記指針の近傍に設けられる発光表示部と、
前記指針の後方に配設され、前記指針軸を露出させる第一の開口部と前記発光表示部を露出させる第二の開口部とを有する表示板と、
前記表示板の後方に配設され、前記指針と前記表示板とを照明するための光源と、
前記第一，第二の開口部を覆うように配設され、前記発光表示部の一部を露出させる窓部と、前記指針軸が挿通される軸孔部と、前記表示板の前記第一の開口部周縁に当接する鍔部と、を有する遮光部材と、
前記表示板及び前記遮光部材を後方から支持するケース体と、
を備えてなることを特徴とする計器装置。
【請求項２】
前記遮光部材は、前記鍔部から少なくとも一段低い位置に底面部を有し、前記底面部に前記軸孔部が形成されてなることを特徴とする請求項１に記載の計器装置。
【請求項３】
前記ケース体は、凸部あるいは孔部からなる第一の位置決め部を有し、前記遮光部材は、前記第一位置決め部に応じて形成される孔部あるいは凸部からなる第二の位置決め部を有してなることを特徴とする請求項１に記載の計器装置。
【請求項４】
前記表示板及び前記遮光部材の前方に配設され、前記ケース体とで前記遮光部材を挟持して固定する枠状部材を備えてなることを特徴とする請求項１に記載の計器装置。
【発明の詳細な説明】
【技術分野】
【０００１】
本発明は、計器装置に関し、特に、表示板の前方に配設される指針が回動して種々の情報を表示する指針式の計器装置に関する。
【背景技術】
【０００２】
従来、計器装置としては、計器ケース内に指針を回動させるためのステッピングモータ等の駆動本体が取付固定され、前記指針が前記駆動本体よりも前面側に設けられる表示板上を回動することで種々の情報を表示するものが知られている。前記指針は、前記駆動本体に取り付けられる指針軸に配設固定され、前記表示板は前記指針軸を挿通するための開口部を有するものである。
【０００３】
ところで、前記表示板の前記開口部周縁において前記表示板の浮き上がりや位置ずれが生じることや、前記開口部付近からの光洩れが生じることを目的として、例えば特許文献１に開示されているように、前記開口部周縁において前記表示板と導光板とを挟持するリング状の止着部材により前記表示板を固定するものが知られている。
【特許文献１】実開昭６３−１４２７２５号公報
【発明の開示】
【発明が解決しようとする課題】
【０００４】
しかしながら、かかる固定方法においては、前記表示板の前記開口部周縁に前記表示板を挟持するような専用の前記止着部材を配設する必要があり、部品点数が増加し、また、前記指針軸の周辺に前記止着部材を固定するための余分なスペース（挟持構造であるため特に裏面側の空間が必要となる）を確保しなければならず、設計の自由度が抑制されるという問題点があった。
【０００５】
本発明は、前記問題点に鑑み、表示板の開口部周縁における浮き上がりを防止する構成において、部品点数の増加を抑制し、また、設計の自由度を向上させることが可能な計器装置を提供することを目的とする。
【課題を解決するための手段】
【０００６】
本発明の計器装置は、前記課題を解決するため、駆動本体に設けられる指針軸に配設固定され前記計器本体の駆動に応じて回動する指針と、前記指針の近傍に設けられる発光表示部と、前記指針の後方に配設され、前記指針軸を露出させる第一の開口部と前記発光表示部を露出させる第二の開口部とを有する表示板と、前記表示板の後方に配設され、前記指針と前記表示板とを照明するための光源と、前記第一，第二の開口部を覆うように配設され、前記発光表示部の一部を露出させる窓部と、前記指針軸が挿通される軸孔部と、前記表示板の前記第一の開口部周縁に当接する鍔部と、を有する遮光部材と、前記表示板及び前記遮光部材を後方から支持するケース体と、を備えてなることを特徴とする。
【０００７】
また、本発明は、前記遮光部材は、前記鍔部から少なくとも一段低い位置に底面部を有し、前記底面部に前記軸孔部が形成されてなることを特徴とする。
【０００８】
また、本発明は、前記ケース体は、凸部あるいは孔部からなる第一の位置決め部を有し、前記遮光部材は、前記第一位置決め部に応じて形成される孔部あるいは凸部からなる第二の位置決め部を有してなることを特徴とする。
【０００９】
また、本発明は、前記表示板及び前記遮光部材の前方に配設され、前記ケース体とで前記遮光部材を挟持して固定する枠状部材を備えてなることを特徴とする。
【発明の効果】
【００１０】
本発明は、計器装置に関し、特に、表示板の前方に配設される指針が回動して種々の情報を表示する指針式の計器装置に関するものであり、表示板の開口部周縁における浮き上がりを防止する構成において、部品点数の増加を抑制し、また、設計の自由度を向上させることが可能となるものである。
【発明を実施するための最良の形態】
【００１１】
以下、本発明の実施形態を添付した図面に基づいて説明する。
【００１２】
コンビネーションメータ（計器装置）１は、図１及び図２に示すように、ケース体２と、後方カバー３と、回路基板４と、指針５と、表示板６と、液晶パネル（発光表示部）７と、遮光部材８と、枠状部材９と、前方カバー１０と、から主に構成されている。
【００１３】
ケース体２は、例えば合成樹脂材料からなり、底板部を基準に前方（表示面側）及び後方に開放する構造を有し、回路基板４，指針５，表示板６，液晶パネル７及び遮光部材８等の内部部品を収納するものである。
【００１４】
後方カバー３は、例えば合成樹脂材料からなり、ケース体２の後方側を覆うべく凹形状に形成されるものであり、ケース体２内に異物が混入することを防止するものである。
【００１５】
回路基板４は、指針５が装着されるステッピングモータ（駆動本体）１１、指針５，表示板６あるいは液晶パネル７をそれぞれ照明するためのＬＥＤ（光源）１２ａ〜１２ｃ、及びステッピングモータ１１及びＬＥＤ１２ａ〜１２ｃを駆動制御するマイクロコンピュータ等の電子部品（図示しない）等が実装されるものであり、ケース体２の後方側に収納され、ねじ止め等の手段によってケース体２に固定される。
【００１６】
指針５は、ステッピングモータ１１に設けられる指針軸１１ａに固定されており、ステッピングモータ１１の駆動に応じて表示板６上を回動するものである。指針５は、透光性の樹脂材料からなりその回動中心部が指針軸１１ａに固定される指示部５ａと、この指示部５ａの回動中心部を覆う非透光性の指針カバー５ｂと、を有する。また、指示部５ａには内部に導かれたＬＥＤ１２ａからの光を先端側に反射して透過照明するための傾斜状の反射部５ｃが形成されている。
【００１７】
表示板６は、合成樹脂材料等からなる板状部材であり、被透光性の地部に指針５に応じた車両の走行速度の値を示す透光性の指標部６ａがそれぞれ印刷形成されてなるものである。指標部６ａは、導光体１３を介してＬＥＤ１２ｂからの光によって透過照明される。また、表示板６には、図３に示すように、指針軸１０ａを露出させる略円形状の第一の開口部６ｂと、液晶パネル７を露出させる略長方形状の第二の開口部６ｃと、が形成されている。なお、図３は、ケース体２に表示板６を配設した状態を示す図である。また、表示板６は、ケース体２によって支持される。
【００１８】
液晶パネル７は、一対のガラス基板間に液晶を封入してなるものであり、例えばＦＰＣ（図示しない）を介して回路基板４と電気的に接続され、前記マイクロコンピュータからの駆動信号によって駆動制御され、光源であるＬＥＤ１２ｃからの光を透過することで種々の表示を行うものである。液晶パネル７は指針５の近傍であって表示面側から見て指針５の下方に位置するように回路基板４上に配設される。なお、表示装置１の表示例としては、走行距離，オーディオの機能あるいは時刻等が上げられる。
【００１９】
遮光部材８は、第一，第二の開口部６ｂ，６ｃを覆うように配設され、第一，第二の開口部６ｂ，６ｃ付近からの光漏れを防止するためにＬＥＤ群１２からの光を遮るものである。遮光部材８は、液晶パネル７の一部を露出させる窓部８ａと、表示板６の第一の開口部６ｂ周縁に当接する鍔部８ｂと、鍔部８ｂから一段低く形成され第一の開口部６ｂの指針軸１１ａ周辺を覆うとともに底面部８ｃと、底面部８ｃに形成され指針軸１１ａが挿通される軸孔部８ｄと、を有する。鍔部８ｂは、表示板６の第一の開口部６ｂ周縁を前方から押さえ、表示板６の浮き上がりを抑制するものである。底面部８ｃは、第一の開口部６ｂにおいて指針軸１１ａ付近からの光漏れを防止するものであり、鍔部８ｂに対して一段低く形成されることで、指針５の後方に遮光部材８が配設される構成であっても指針５と表示板６との間の距離を短くすることでき、利用者が指針５と表示板６の指標部６ａとを対比判読する際に誤差が生じることを抑制することが可能となっている。また、遮光部材８は、下端にケース体２に形成される孔部（第一の位置決め部）２ａに応じて形成される凸部（第二の位置決め部）８ｅを有し、凸部８ｅを孔部２ａに挿入することでケース体２及び表示板６に対して位置決めされる。なお、位置決め構造としては、ケース体２に凸部が形成され、遮光部材８にこの凸部に応じて形成される孔部が設けられるものであってもよい。
【００２０】
枠状部材９は、非透光性材料からなり、表示板６の指標部６ａ及び液晶パネル７を除いた個所上に配設される装飾用部材である。また、枠状部材９は、表示板６及び遮光部材８の下端をケース体２とで挟持し、表示板６及び遮光部材８を固定する。
【００２１】
前方カバー１０は、非透光性材料からなる筒状部１０ａと透光性の樹脂材料からなり筒状部１０ａの前方側に配設される曲面部１０ｂとを有するものであり、ケース体２の前面側を覆うように配設されるものである。また、前方カバー１０は、枠状部材９の上端部及び下端部をケース体２とで挟持し、枠状部材９を押圧して固定し、表示板６及び遮光部材８の固定状態が維持されるようにしている。
【００２２】
かかるコンビネーションメータ１は、表示板６に形成される第一，第二の開口部６ｂ，６ｃを覆うように配設され、液晶パネル７の一部を露出させる窓部８ａと、指針軸１１ａが挿通される軸孔部８ｄと、表示板６の第一の開口部６ｂ周縁に当接する鍔部８ｂと、を有する遮光部材８を備えることによって、表示板６の指針軸１１ａに対応した第一の開口部６ｂ周縁における浮き上がりを防止する構成において、液晶パネル７の窓枠となる遮光部材８に第一の開口部６ｂ周縁の浮き上がりを防止するための鍔部８ｂを設けることで部品点数の増加を抑制することができる。また、遮光部材８を第一，第二の開口部６ｂ，６ｃを覆う構成とすることで、指針軸１１ａの周辺とは異なる個所にて位置決め及び固定することができるため、指針軸１１ａの周辺に遮光部材８を固定するための余分なスペースを設ける必要が無く、設計の自由度を向上させることができる。本実施形態においては、
遮光部材８の下端部にケース体２の孔部２ａに対応する凸部８ｅを形成することで、鍔部６ｂを位置決めすることができ、また、表示板６及び遮光部材８の前方に枠状部材９を配設し、枠状部材９とケース体２とで遮光部材８の下端部を挟持することで、遮光部材８と一体に設けられた鍔部６ｂを固定することができる。
【００２３】
また、遮光部材８に、鍔部８ｂから少なくとも一段低い位置に底面部８ｃを有し、底面部８ｃに軸孔部８ｄが形成されてなることによって、指針５の後方に遮光部材８が配設される構成であっても指針５と表示板６との間の距離を短くすることでき、利用者が指針５と表示板６の指標部６ａとを対比判読する際に誤差が生じることを抑制することが可能となる。
【００２４】
なお、本発明における指針，表示板，発光表示部及び遮光部材等は本実施の形態に限定されるものではなく、本発明の範囲内で任意に変更可能である。
【図面の簡単な説明】
【００２５】
【図１】本発明の実施の形態であるコンビネーションメータを示す断面図。
【図２】同上のコンビネーションメータを示す正面図。
【図３】同上の表示板を示す正面図。
【符号の説明】
【００２６】
１  コンビネーションメータ（計器装置）
２  ケース体
２ａ  孔部（第一の位置決め部）
３  後方カバー
４  回路基板
５  指針
６  表示板
６ａ  指標部
６ｂ  第一の開口部
６ｃ  第二の開口部
７  液晶パネル（発光表示部）
８  遮光部材
８ａ  窓部
８ｂ  鍔部
８ｃ  底面部
８ｄ  軸孔部
８ｅ  凸部（第二の位置決め部）
９  枠状部材
１０  前方カバー
１１  ステッピングモータ（駆動本体）
１１ａ  指針軸
１２ａ〜１２ｃ  ＬＥＤ（光源）
【図１】
0004761034.tif 000002
【図２】
0004761034.tif 000003
【図３】
0004761034.tif 000004